(57)【要約】【課題】  本発明は、射出成形機から送信されるデータを比較的簡単に書き換えできないイメージデータに変換して送信することが可能なセキュリティ上の安全管理性を向上させた射出成形機の遠隔監視システムを提供する。【解決手段】  生産工場２の射出成形機３a〜３ｃのそれぞれに、これら射出成形機３a〜３ｃの数値データなどの稼動状況データをイメージデータに変換する制御装置６０を有する。事務所６のパソコン１０等を操作し、パソコン１０からの射出成形機３a〜３ｃへの操作要求により、制御装置６０によって変換された稼動状況データのイメージデータがパソコン１０に送信される。簡単に書き換えできないイメージデータに変換後に送信することでセキュリティ上の安全が向上する。【選択図】  図１
2006110765.tif 000002
【特許請求の範囲】
【請求項１】
複数台設置された射出成形機と、これら複数台の射出成形機の夫々に接続されたインターフェース装置と、これらインターフェース装置に送られてきたデータを解析して前記複数台の射出成形機の内の何れかを指定し検出するスイッチングハブと、このスイッチングハブに接続され前記インターフェース装置を介して前記射出成形機とデータの送受信をするコンピュータと、からなる射出成形機の遠隔監視システムにおいて、前記射出成形機の各々にインターフェース装置を設けたことを特徴とする射出成形機の遠隔監視システム。
【請求項２】
前記スイッチングハブにルータを接続し、このルータにインターネット回線を介して前記射出成形機とデータの送受信が可能な携帯用端末を接続可能に構成したことを特徴とする請求項１記載の射出成形機の遠隔監視システム。
【請求項３】
前記射出成形機に制御装置を設け、この制御装置が稼動状況データをイメージデータに変換する機能を有することを特徴とする請求項２記載の射出成形機の遠隔監視システム。
【請求項４】
前記インターフェース装置はＲＳ−２３２Ｃインターフェース機能を備えたイーサネット変換機であることを特徴とする請求項１〜３の何れか１項に記載の射出成形機の遠隔監視システム。
【請求項５】
前記射出成形機の作動状態をリアルタイムに撮影するカメラを前記スイッチングハブに接続し、前記コンピュータ又は前記携帯用端末の画像表示部に、前記カメラにより撮影される前記射出成形機の作動状態や、それを操作するオペレータの操作状況の映像を表示可能に構成したことを特徴とする請求項２〜４に記載の何れか1項に記載の射出成形機の遠隔監視システム。
【発明の詳細な説明】
【技術分野】
【０００１】
本発明は、射出成形機を監視することが可能な射出成形機の遠隔監視システムに関する。
【背景技術】
【０００２】
近年の情報ネットワークに関する技術の発展は目覚しく、各企業内に情報ネットワークが構築されていることはもちろんのこと、インターネット回線などの通信回線を利用すれば地球上の何れにおいてもデータのやりとりが可能となっている。また、近年においては、人件費などのコストの問題から海外などの遠隔地に生産工場を設立し、その工場の本社などにおいて、工場内に設けられた複数の工作機械等を通信回線を介して管理し、低コスト化を図ると共に生産性を向上することが行われつつある。
【０００３】
また、こういった従来技術として、通信ネットワークを介して外国や地方などの遠隔地に設置した複数台の射出成形機を監視する通信ネットワークを利用した遠隔監視方法が特許文献１に提案されている。この特許文献１には、遠隔地に複数設けられた射出成形機を管理するために、本国の事務所などから通信ネットワークを介して遠隔地に複数台配置された射出成形機の稼動状況を、工場から離れている所に設けられている通信端末装置の画面に表示し、例えば、パソコンなどの汎用コンピュータによって複数台の射出成形機を遠隔地から管理することが可能な遠隔監視方法が開示されている。また、非特許文献１には、成形物の品質の確認、稼動状況及び日々の集計を自動で収集し、成形現場の稼働状況を遠隔地から確認できるものが開示されている。
【０００４】
【特許文献１】特開２００３−１６８８号公報
【非特許文献１】住友重機械工業株式会社のホームページ（http://www.shi.co.jp/plastics/f_product7.html）
【発明の開示】
【発明が解決しようとする課題】
【０００５】
しかし、上記特許文献１及び非特許文献１においては、遠隔地で稼働中の射出成形機を、正に、横に射出成形機がある感覚で監視できるものではない。すなわち、射出成形機の稼動状況を画面に表示された数値データに基づいて把握するものであり、実際には射出成形機の種々の設定などの操作は、オペレータが行うことから、その操作状況までをも把握できるものではなく、しかも、数値データを、単に、工場の射出成形機からそれを管理する事務所などの端末へ送信してその画面に表示するものであるため、インターネット回線等を利用するにあたっては、外部からの不正なアクセスなどによって、送受信される数値データが、読み取られたり書き換えられたりする虞があり、射出成形機を管理する上でその管理上決して好ましいものとは言えるものではなかった。
【０００６】
本発明は、上記課題を鑑みてなされたものであり、射出成形機から送信されるデータを比較的簡単に書き換えできないイメージデータに変換して送信することが可能なセキュリティ上の安全管理性を向上させた射出成形機の遠隔監視システムを提供することをその目的とし、また、射出成形機の稼働状況のデータの他に、その操作を行うオペレータの操作状況等をも一括管理することが可能な射出成形機の遠隔監視システムを提供することをその目的とする。
【課題を解決するための手段】
【０００７】
本発明の請求項１の射出成形機の遠隔監視システムは、複数台設置された射出成形機と、これら複数台の射出成形機の夫々に接続されたインターフェース装置と、これらインターフェース装置に送られてきたデータを解析して前記複数台の射出成形機の内の何れかを指定し検出するスイッチングハブと、このスイッチングハブに接続され前記インターフェース装置を介して前記射出成形機とデータの送受信をするコンピュータと、からなる射出成形機の遠隔監視システムにおいて、前記射出成形機の各々に前記インターフェース装置を設けたことを特徴とする。
【０００８】
請求項１の構成により、インターフェース装置が射出成形機器に設けられているので、既存のネットワークに射出成形機を簡単に接続して、遠隔地にある射出成形機を監視することができる。
【０００９】
本発明の請求項２の射出成形機の遠隔監視システムは、請求項１記載の射出成形機の遠隔監視システムにおいて、前記スイッチングハブにルータを接続し、このルータにインターネット回線を介して前記射出成形機とデータの送受信が可能な携帯用端末を接続可能に構成したことを特徴とする。
【００１０】
請求項２の構成により、携帯用端末を接続して、簡単に射出成形機の稼動状況等を確認することができる。
【００１１】
本発明の請求項３の射出成形機の遠隔監視システムは、請求項２記載の射出成形機の遠隔監視システムにおいて、前記射出成形機に制御装置を設け、この制御装置が稼動状況データをイメージデータに変換する機能を有することを特徴とする。
【００１２】
請求項３の構成により、コンピュータ又は携帯用端末を操作し、射出成形機に所望の稼動状況データを要求すると、その要求に基づいて、制御装置が、要求のあった射出成形機の稼動状況データをイメージデータに変換し、その変換されたイメージデータが要求を行ったコンピュータ又は前記携帯用端末に送信することが可能となる。
【００１３】
本発明の請求項４の射出成形機の遠隔監視システムは、請求項１〜３の何れか１項に記載の射出成形機の遠隔監視システムにおいて、前記インターフェース装置はＲＳ−２３２Ｃインターフェース機能を備えたイーサネット変換機であることを特徴とする。
【００１４】
請求項４の構成により、ＲＳ−２３２Ｃインターフェース機能は、シリアル通信方式としては広く普及していると共にほとんどのパソコンに標準で備えられているので、この規格に準じた、プリンタなどの種々の周辺機器やパソコンを直接イーサネット変換機に接続して簡単に使用することができるので、汎用性に優れる。
【００１５】
本発明の請求項５の射出成形機の遠隔監視システムは、請求項２〜４の何れか1項に記載の射出成形機の遠隔監視システムにおいて、前記射出成形機の作動状態をリアルタイムに撮影するカメラを前記スイッチングハブに接続し、前記コンピュータ又は前記携帯用端末の画像表示部に、前記カメラにより撮影される前記射出成形機の作動状態や、それを操作するオペレータの操作状況の映像を表示可能に構成したことを特徴とする。
【００１６】
請求項５の構成により、カメラにより撮影された射出成形機及びそれを操作するオペレータの映像をリアルタイムに画像表示部に表示することができるので、遠隔地に設置された稼働中の射出成形機の映像を、あたかも横にある感覚で監視することができる。従って、オペレータが射出成形機の所定の操作を行っているか否かまでをも一括して管理することができる。
【発明の効果】
【００１７】
請求項１の射出成形機の遠隔監視システムによれば、複数台設置された射出成形機と、これら複数台の射出成形機の夫々に接続されたインターフェース装置と、これらインターフェース装置に送られてきたデータを解析して前記複数台の射出成形機の内の何れかを指定し検出するスイッチングハブと、このスイッチングハブに接続され前記インターフェース装置を介して前記射出成形機とデータの送受信をするコンピュータと、からなる射出成形機の遠隔監視システムにおいて、前記射出成形機の各々に前記インターフェース装置を設けたものであり、遠隔地にある複数台の射出成形機を簡単に監視することができるので、利便性を向上させた遠隔監視システムを提供することができる。
【００１８】
請求項２の射出成形機の遠隔監視システムによれば、請求項１において、前記スイッチングハブにルータを接続し、このルータにインターネット回線を介して前記射出成形機とデータの送受信が可能な携帯用端末を接続可能に構成したので、携帯用端末を接続して簡単に射出成形機の稼動状況等を確認することができるので、利便性に優れる。
【００１９】
請求項３の射出成形機の遠隔監視システムによれば、請求項２において、前記射出成形機に制御装置を設け、この制御装置が稼動状況データをイメージデータに変換する機能を有するものであり、射出成形機の稼動状況データがイメージデータに変換後に送信することが可能となるので、例えば、従来のように、射出成形機の稼動状況などが、数値ファイルやテキストファイルなどにより送信され、その内容が、不正アクセスなどにより簡単に書き換えられたりすることを回避することができるので、セキュリティ上の安全管理性に優れる。
【００２０】
請求項４の射出成形機の遠隔監視システムによれば、請求項１〜３の何れか１項において、前記インターフェース装置はＲＳ−２３２Ｃインターフェース機能を備えたイーサネット変換機であるから汎用性に優れる。
【００２１】
請求項５の射出成形機の遠隔監視システムによれば、請求項２〜４の何れか1項において、前記射出成形機の作動状態をリアルタイムに撮影するカメラを前記スイッチングハブに接続し、前記コンピュータ又は前記携帯用端末の画像表示部に、前記カメラにより撮影される前記射出成形機の作動状態や、それを操作するオペレータの操作状況の映像を表示可能に構成したものであり、オペレータが射出成形機の所定の操作を行っているか否かを把握して管理することが可能となる。
【発明を実施するための最良の形態】
【００２２】
以下、本発明を実施するための最良の形態としての実施例を図１〜図５により以下に説明する。もちろん、本発明は、その発明の趣旨に反しない範囲で、実施例において説明した以外の構成のものに対しても容易に適用可能なことは説明を要するまでもない。
【実施例１】
【００２３】
図１は、本実施例の一例における射出成形機の遠隔監視システムの全体を示す概略説明図である。同図に示すように、この射出成形機の遠隔監視システム１は、成形物を製造する生産工場２などに、複数台の射出成形機３a〜３ｃが設置されている。これら射出成形機３a〜３ｃには、それぞれにＲＳ−２３２Ｃインターフェース機能を備えると共にデータのやりとりの仲介を行うインターフェース装置たるイーサネット（登録商標）変換機４a〜４ｃが接続ケーブルたるＲＳ−２３２Ｃケーブル５a〜５ｃにより接続された状態で、各射出成形機３a〜３ｃにイーサネット変換機４a〜４ｃが設けられている。
【００２４】
また、１０は、生産工場２に設けられた射出成形機３a〜３ｃの稼動状況などを、遠隔から監視して管理する事務所６に設けられたコンピュータであり、本実施例におけるコンピュータ１０は、パーソナルコンピュータ（以下、パソコンと称す）１０であり、このパソコン１０の本体１１には、モニター１２及びキーボートなどの操作部１３aが図示しない接続ケーブルを介して接続され、また、モニター１２の前面部には、射出成形機３a〜３ｃの稼動状況等を表示する画像表示部１４が設けられている。
【００２５】
生産工場２には、スイッチングハブ２０が設置されており、このスイッチングハブ２０には、接続ケーブルたるＬＡＮケーブル３０を介してイーサネット変換機４a〜４ｃ、及び、事務所６に設置されたパソコン１０の本体１１、データ等を中継するルータ２５に接続されており、スイッチングハブ２０は、パソコン１１や後述する携帯用端末からルータ２５を介して送られてきたデータ等を解析して前記複数台の射出成形機３a〜３ｃの内の何れかの指定や検出を行うことが可能となっている。
【００２６】
本実施例における一例においては、携帯用端末たるノート型パソコン３５や携帯電話３６、及びパソコン１１は、ＬＡＮケーブル３０、スイッチングハブ２０などを介して、射出成形機３a〜３ｃとデータ等の送受信が可能となっており、例えば、ノート型パソコン３５や携帯電話３６を操作した際には、生産工場２と離れた自宅などからであっても射出成形機３a〜３ｃの遠隔操作を簡単に行いデータの送受信をすることができ、一方、生産工場２に隣接する事務所６においてもパソコン１０のキーボートなどの操作部１３aを操作することにより、簡単に生産工場２に設置された射出成形機３a〜３ｃを遠隔から操作を行いデータの送受信をするができるように構成されている。
【００２７】
５０ａ〜５０ｃは、スイッチングハブ２０に接続ケーブルたるＬＡＮケーブル３０aを介して接続し、射出成形機３a〜３ｃの作動状態や、これらを操作するオペレータの操作状況等を撮影可能なカメラであり、これらカメラ５０ａ〜５０ｃは、各射出成形機３a〜３ｃに対応して一台ずつ撮影するように配置され、各射出成形機３a〜３ｃの稼動状態及び、これらを操作するオペレータの操作状況をリアルタイムに撮影し、その画像がパソコンの画像表示部１４aや携帯用端末の画像表示部１４ｂ，１４ｃに表示されるようになっている。
【００２８】
ここで、射出成形機３a〜３ｃについて説明すると、射出成形機３a〜３ｃは、主に電動のモータや油圧により駆動され、ペレットなどの原料を溶融した後、金型に高速且つ高圧で射出させ成形物を多量生産するものであり、一般的に利用されている射出成形機と基本構成はほぼ同じであるので、その詳細な説明は省略するが、射出成形機３a〜３ｃのそれぞれには、その全体を制御する制御装置６０が各々に設けられ、この制御装置６０のそれぞれには、図２に示すように、制御手段としてのＣＰＵ６１、プログラムの格納されるプログラム用メモリ（ＲＯＭ）６２、プログラム用メモリ（ＲＡＭ）６３、及び画像表示用フレームバッファ用メモリ（ＲＡＭ）６４、画像を表示する表示装置６５、キー操作部６６、前記イーサネット変換機４a〜４ｃと接続されるＲＳ−２３２Ｃを備えた通信部６７が備えられており、また、通信部６７には、表示装置６５に表示された画像等を印刷するプリンタ６９を接続するパラレルポートが備えられている。なお、通信部６７と前記イーサネット変換機４aとは、接続ケーブルたるＲＳ−２３２Ｃケーブル５a〜５cにより接続されている。
【００２９】
また、パソコン１０、ノート型パソコン３５、携帯電話３６には、射出成形機３a〜３ｃの稼働状況を表示することが可能な画像表示部１４a〜１４ｃ、オペレータなどが射出成形機３a〜３ｃを操作する為の操作手段たる操作部１３ａ〜１３ｃを有する。なお、前記プログラム用メモリ（ＲＯＭ）６２には、パソコン１０、ノート型パソコン３５、携帯電話３６の操作部１３a〜１３cを操作することにより、その操作要求が制御装置６０に送信され、その送信要求に基づいて、制御装置６０が射出成形機３a〜３ｃの数値データやテキストデータなどの稼動状況データをイメージデータに変換させ、その変換されたイメージデータをパソコン１０、ノート型パソコン３５、携帯電話３６の内の操作部１３a〜１３cの操作を行った装置に送信するようになっている。
【００３０】
次に、上記構成に係るパソコン１０、ノート型パソコン３５、携帯電話３６から射出成形機３a〜３ｃを遠隔管理する際の手順について、図３及び図４を参照しながら説明する。
【００３１】
図３に示すように、オペレータが、パソコン１０等の操作部１３a〜１３cの所定の操作を行い、例えば、射出成形機３aの制御装置６０に対し、射出成形機３aの稼動状態等を示す為に、データの送信を制御装置に要求すると（ステップ１，２）、その要求が、射出成形機３aの制御装置６０によって受信される（ステップ３）。そして、その要求に基づいて、制御装置６０が、要求された稼動状況データとしての「画面Ｎｏ．１」の画面を選択し（ステップ４）、画面表示用フレームバッファ６４に有する「画面イメージ用エリア1」８４又は「画面イメージ用エリア２」８５に画面イメージを書き込み（ステップ５）、その書き込み後に、図４に示す「画面Ｎｏ．１」の稼動状況データが、制御装置６０のインターフェース６８によりイメージデータに変換処理が行われる。（ステップ６）。そして、その変換されたイメージデータが通信部６７に送られた後、ＲＳ−２３２Ｃを介してイーサネット変換機４a〜４ｃへ送られる（ステップ７）。
【００３２】
そして、ステップ７にて、制御装置６０のイーサネット変換機４aによりデータ送信処理のされたデータが、要求を行ったパソコン１０に送信される際、オペレータが操作部１３aの所定の操作を行うことで、パソコンの本体１１でデータの受信処理がなされ（ステップ１０）、これに付属された画像表示部１４aにイメージデータを画像として表示することが可能となる（ステップ１１）。このように、変換されたイメージデータが、操作部１３aにより操作を行ったパソコン１０に、スイッチングハブ２０、ＬＡＮケーブル３０等を介して返信（ステップ７）される。なお、パソコン１０に代えて携帯用端末を用いた際にも同様に、要求したノート型パソコン３５或いは携帯電話３６に対応する画像表示部１４ｂ，１４ｃにイメージデータの画像を表示することができる。
【００３３】
なお、本実施例の一例においては、送信される稼働状況データのイメージデータとして、ショット数、日付、時間等を表示する「モニターデータ表示」としての画像９０を図４に一例として示すが、特にこれに限定するものではなく、例えば、射出成形機３ａ〜３ｃのサイクルタイム、成形品の不良数／不良率、及び生産数／生産率、稼働率、或いは進捗度等、適宜選定することができる。この場合には、図３に示す、ステップ４及び５の手順に代えて、ステップ６及び７、ステップ８及び９を行うことにより、前述した手順と同様にその処理が行われる。
【００３４】
また、射出成形機の制御装置６０に備えられた表示装置６５に、射出成形機３a〜３ｃの成形条件設定のための設定画面表示を返信することも可能となっている。
【００３５】
以上のように本実施例に係る遠隔監視システム１によれば、複数台設置された射出成形機３a〜３ｃと、これら複数台の射出成形機３a〜３ｃの夫々に接続されたイーサネット変換機５a〜５ｃなどのインターフェース装置と、これらインターフェース装置に送られてきたデータを解析して複数台の射出成形機３a〜３ｃの内の何れかを指定し検出するスイッチングハブ２０と、このスイッチングハブ２０に接続されインターフェース装置を介して射出成形機３a〜３ｃとデータの送受信をするコンピュータたるパソコン１０とからなる遠隔監視システム１において、射出成形機３a〜３ｃの各々にインターフェース装置を設けたものである。これにより、インターフェース装置が射出成形機３a〜３ｃの各々に設けられているので、既存の構築されたネットワークに射出成形機３a〜３ｃを簡単に接続して、遠隔地に複数台設置した射出成形機３a〜３ｃを監視することができるので、利便性を向上させた遠隔監視システム１を提供することができる。
【００３６】
さらに、スイッチングハブ２０にルータ２５を接続し、このルータ２５にインターネット回線４０を介して前記射出成形機３ａ〜３ｃとデータの送受信が可能なノート型パソコン３５や携帯電話３６などの通信機能を有する携帯用端末を接続可能に構成したものである。これにより、ノート型パソコン３５や携帯電話３６などの携帯用端末をルータ２５などに接続して、簡単に射出成形機３a〜３ｃの稼動状況等を携帯用端末に送信し、その画像表示部１４ｂ，１４ｃに表示させ確認することが可能となる。
【００３７】
しかも、射出成形機３ａ〜３ｃに制御装置６０を設け、この制御装置６０が射出成形機３ａ〜３ｃの稼動状況データをイメージデータに変換する機能を有するので、パソコン３５又は携帯用端末を操作し、射出成形機３a〜３ｃに所望の稼動状況データを要求すると、その要求に基づいて、制御装置６０が、要求のあった射出成形機３a〜３ｃの稼動状況データをイメージデータに変換し、その変換されたイメージデータが要求を行ったパソコン３５又は携帯用端末に送信することが可能となるので、射出成形機３ａ〜３ｃからパソコン１０又は携帯用端末に送信されるデータが、制御装置６０のインターフェース６８により、数値データやテキストデータなどのデータファイルから簡単に書き換えのできないイメージデータに変換し、その変換後にイメージデータを送信することができ、例えば、従来のように、射出成形機の稼動状況などが、データファイルなどによりそのまま送信され、そのファイルの内容が、不正アクセスなどにより簡単に書き換えられたりすることを回避することができるので、セキュリティ上の安全管理性に優れる。
【００３８】
また、本実施例のインターフェース装置はＲＳ−２３２Ｃインターフェース機能を備えたイーサネット変換機４ａ〜４ｃであるから、ＲＳ−２３２Ｃインターフェース機能は、シリアル通信方式としては広く普及していると共にほとんどのパソコンに標準で備えられているので、この規格に準じた、図示しないプリンタなどの種々の周辺機器やパソコンを直接イーサネット変換機４a〜４ｃに接続して簡単に使用することができるので汎用性に優れる。
【００３９】
さらに、射出成形機３ａ〜３ｃの作動状態をリアルタイムに撮影するカメラ５０ａ〜５０ｃをＬＡＮケーブル３０ａを介してスイッチングハブ２０に接続し、パソコン１０又は携帯用端末の画像表示部１４a〜１４ｃに、カメラ５０ａ〜５０ｃにより撮影される射出成形機３ａ〜３ｃの作動状態や、それを操作するオペレータの操作状況などの映像を表示可能に構成したものである。これにより、カメラ５０ａ〜５０ｃにより撮影された各射出成形機３ａ〜３ｃ及びそれを操作するオペレータの映像をリアルタイムに画像表示部１４a〜１４ｃに表示することができるので、遠隔地に設置された稼働中の射出成形機３ａ〜３ｃの映像を、あたかも横にある感覚で監視することができる。従って、オペレータが射出成形機３ａ〜３ｃの所定の操作を行っているか否かまでをも確実に把握して一括して管理することが可能となる。
【実施例２】
【００４０】
次に、本発明の実施例２を説明する。図５は実施例２における射出成形機の遠隔監視システムを示す概略説明図である。なお、上述した実施例１と同一部分には同一符号を示し、その詳細な説明は省略して詳述する。この実施例２においては、実施例１のスイッチングハブ２０に代えて、生産工場２及び事務所６のそれぞれにスイッチングハブ２０Ａ，２０Ｂが設置される。そして、各スイッチングハブ２０Ａ，２０Ｂには、接続ケーブルたるＬＡＮケーブル３０を介して無線ＬＡＮアクセスポイントとしての無線通信装置８０が接続され、事務所６のパソコン１０又は、ノート型パソコン３５や携帯電話３６により、生産工場２に設置された射出成形機３ａ〜３ｃのデータの送受信が可能となっている。この場合、生産工場２のスイッチングハブ２０Ａと事務所のスイッチングハブ２０Ｂとは、無線により双方向通信が可能であるので、生産工場と事務所間にＬＡＮケーブル３０などの有線を設置せずに無線通信が可能となることで、ネットワークの構築を簡単に行うことが可能となる。
【００４１】
以上、本発明の実施例を詳述したが、本発明は前記実施例に限定されるものではなく、本発明の要旨の範囲内で種々の変形実施が可能である。例えば、生産工場２には、複数台の射出成形機３a〜３ｃとしてその台数が３台示されているが、特にこの台数に限定されるものではなく、２台以下或いは４台以上など適宜必要に応じて選定すればよい。
【図面の簡単な説明】
【００４２】
【図１】実施例１における射出成形機の遠隔監視システムを示す概略説明図である。
【図２】同上、射出成形機の制御手段の構成を示すブロック図である。
【図３】同上、遠隔監視システムの動作手順を示すフローチャート図である。
【図４】同上、稼動状況データが表示装置に表示された画面を示す図である。
【図５】実施例２における射出成形機の遠隔監視システムを示す概略説明図である。
【符号の説明】
【００４３】
１  遠隔監視システム
３a〜３ｃ  射出成形機
４a〜４ｃ  イーサネット変換機（インターフェース装置）
１０  パソコン（コンピュータ）
１４ａ〜１４ｃ  画像表示部
２０  スイッチングハブ
２５  ルータ
３５  ノート型パソコン（携帯用端末）
３６  携帯電話（携帯用端末）
４０  インターネット回線
５０ａ〜５０ｃ  カメラ
６０  制御装置
【図１】
2006110765.tif 000003
【図２】
2006110765.tif 000004
【図３】
2006110765.tif 000005
【図４】
2006110765.tif 000006
【図５】
2006110765.tif 000007